(57)【要約】  現在のバッテリは、ファッション／衣服業界により要求される必須の設計、機能及びユーザインタフェースを欠いている。本発明は、バッテリ、バッテリのハウジング、着用可能な衣服、及び電力を供給するための方法を提案し、これらは全てバッテリを含む。本発明の携帯型電源は、燃料電池、又はバッテリと、正の端子と、負の端子と、ハウジングと、機械抵抗発生器と、少なくとも１つの電気コネクタを受容するための少なくとも１つの開口と、前記ハウジングに結合された可動部と、を含み、前記機械抵抗発生器は、前記少なくとも１つの電気コネクタを、前記正の端子及び前記負の端子に押し付け、回路を形成する。
2008515145.tif 000002
【特許請求の範囲】
【請求項１】
燃料電池と、
正の端子と、
負の端子と、
ハウジングと、
機械抵抗発生器と、
少なくとも１つの電気コネクタを受容するための少なくとも１つの開口と、
前記ハウジングに結合された可動部と、
を有するバッテリであって、前記機械抵抗発生器は、前記少なくとも１つの電気コネクタを、前記正の端子及び前記負の端子に押し付け、回路を形成するバッテリ。
【請求項２】
前記機械抵抗発生器は、ばね、弾性材料、含気装置、ねじ又はくさびを有する、請求項１に記載のバッテリ。
【請求項３】
前記可動部は、ピストン、車輪、ボタン又はねじを有する、請求項１に記載のバッテリ。
【請求項４】
前記バッテリは更に、第１の電気コネクタを受容するための第１の開口と、第２の電気コネクタを受容するための第２の開口とを有し、前記第１の開口は前記正の端子を含み、前記第２の開口は前記負の端子を含む、請求項１に記載のバッテリ。
【請求項５】
前記機械抵抗発生器は、第１の可動部を前記第１の開口における導電体に押し付け前記正の端子との電気的な接続を形成し、第２の可動部を前記第２の開口における第２の導電体に押し付け前記負の端子との電気的な接続を形成し、回路を形成する、請求項４に記載のバッテリ。
【請求項６】
前記少なくとも１つの導電体は更に、導電性のコードを有する、請求項１に記載のバッテリ。
【請求項７】
前記機械抵抗発生器は、前記可動部を前記導電性のコードに押し付けることにより、重力に打ち勝つために十分な摩擦力を提供し、それにより前記導電性のコードが少なくとも前記バッテリの重量の一部を支持する、請求項６に記載のバッテリ。
【請求項８】
前記可動部は、前記導電性のコードに沿った前記バッテリの位置が変更され得るように移動されることができる、請求項７に記載のバッテリ。
【請求項９】
前記導電性のコードは、絶縁された導電性の繊維のコードである、請求項６に記載のバッテリ。
【請求項１０】
前記少なくとも１つの電気コネクタは、電気装置に電気的に接続された、請求項１に記載のバッテリ。
【請求項１１】
前記少なくとも１つの電気コネクタは更に、少なくとも２つの回路を形成するため、前記機械抵抗発生器により前記正の端子及び前記負の端子に対して個別に押し付けられることができる少なくとも２つの部分を有する、請求項１に記載のバッテリ。
【請求項１２】
前記電気装置と前記バッテリとの間の電気的な接続部は、着用可能な装置を通過する、請求項１０に記載のバッテリ。
【請求項１３】
前記少なくとも１つの開口は更に前記正の端子及び前記負の端子の両方を有し、前記少なくとも１つの電気コネクタの第１の部分は前記正の端子と接触し、前記少なくとも１つの電気コネクタの第２の部分は前記負の端子と接触し、前記可動部は、前記少なくとも１つの電気コネクタの前記第１の部分を前記正の端子に押し付け、前記少なくとも１つの電気コネクタの前記第２の部分を前記負の端子に押し付け、回路を形成する、請求項１に記載のバッテリ。
【請求項１４】
燃料電池室と、
正の端子用の部位と、
負の端子用の部位と、
機械抵抗発生器用の空間と、
少なくとも１つの電気コネクタを受容するための少なくとも１つの開口と、
前記ハウジングに結合される可動部を受容するための空間と、
を有するバッテリのハウジングであって、前記機械抵抗発生器は、前記少なくとも１つの電気コネクタを、前記正の端子及び前記負の端子に押し付け、回路を形成するバッテリのハウジング。
【請求項１５】
電子装置用の接続部と、
少なくとも１つの導電性コネクタと、
前記電子装置用の接続部に電力を供給するために前記導電性コネクタに結合されることが可能なバッテリと、
を有する着用可能な衣服であって、前記バッテリは、
燃料電池と、
正の端子と、
負の端子と、
機械抵抗発生器と、
少なくとも１つの導電性コネクタを受容するための少なくとも１つの開口と、
前記バッテリに結合された可動部と、
を有し、前記機械抵抗発生器は、前記少なくとも１つの導電性コネクタを、前記正の端子及び前記負の端子に押し付け、回路を形成する着用可能な衣服。
【請求項１６】
前記バッテリは、前記少なくとも１つの導電性コネクタに沿った前記バッテリの位置が変更され得るように移動されることができる、請求項１５に記載の着用可能な衣服。
【請求項１７】
前記少なくとも１つの導電性コネクタは、絶縁された導電性の繊維のコード又は導電性のウェビングである、請求項１５に記載の着用可能な衣服。
【請求項１８】
前記少なくとも１つの電子装置用の接続部は、電気装置に電気的に接続された、請求項１５に記載の着用可能な衣服。
【請求項１９】
前記少なくとも１つの導電性コネクタは更に、少なくとも２つの回路を形成するため、前記機械抵抗発生器により前記正の端子及び前記負の端子に対して個別に押し付けられることができる少なくとも２つの部分を有する、請求項１５に記載の着用可能な衣服。
【請求項２０】
前記電気装置と前記バッテリとの間の電気的な接続部は、前記着用可能な衣服内の繊維の相互接続部を通過する、請求項１５に記載の着用可能な衣服。
【請求項２１】
前記少なくとも１つの導電性コネクタ及び前記バッテリは更に、前記着用可能な衣服の開口部の直径を減少させるための機構を有する、請求項１５に記載の着用可能な衣服。
【請求項２２】
前記バッテリは、前記着用可能な衣服から取り外されることができる、請求項１５に記載の着用可能な衣服。
【請求項２３】
電子装置に電力を供給するための方法であって、前記方法は、
少なくとも１つの導電性コネクタを備えるステップと、
バッテリに接続されたときに前記装置に電力を供給するための、前記導電性コネクタにおける少なくとも１つの位置を備えるステップと、
前記バッテリを前記少なくとも１つの導電性コネクタにおける前記少なくとも１つの位置に電気的及び機械的に接続し、前記電子装置に電力を供給するステップと、
を有し、前記バッテリは、
燃料電池と、
正の端子と、
負の端子と、
ハウジングと、
機械抵抗発生器と、
少なくとも１つの電気コネクタを受容するための少なくとも１つの開口と、
前記少なくとも１つの開口に結合された可動部と、
を有し、前記機械抵抗発生器は、前記少なくとも１つの電気コードコネクタを、前記正の端子及び前記負の端子に押し付け回路を形成し、前記正の端子及び前記負の端子は、前記少なくとも１つの開口内に配置される方法。
【発明の詳細な説明】
【技術分野】
【０００１】
本発明は、導電性コネクタに装着するための装着可能なバッテリに関する。
【背景技術】
【０００２】
ＭＰ３プレイヤ、カムコーダ、ディジタルカメラ、ＰＤＡ、ラップトップコンピュータ及び携帯電話機のような携帯型電子装置は、ますます小型化し携帯可能となっている。増大する可搬性及び利便性に対する要求は、消費者向け電子装置市場における主なトレンドを、衣服に装着されることができる着用可能な電子装置へと向けている。これらの「着用可能な電子装置」は、他の装置（例えばＭＰ３プレイヤに接続されるヘッドフォン）及び衣服自体の一部を形成する回路（例えば導電性の繊維）の両方との電気的な接続部を必要とする。着用可能な電子装置はまた、力学的に強力な接続を必要とする。なぜなら該電子装置は、着用者が動くときにも着用者の衣服に装着されたままである必要がある（例えばジョギングをする人のシャツに装着された携帯型ＭＰ３プレイヤ）からである。着用可能な電子装置はまた、革新的な電池及びスイッチを必要とする。更に、着用可能な電子装置はまた、一般に従来の電子装置には関連付けられないファッション及び機能（例えば衣服のファスナーとしての）のレベルを要求する。
【発明の開示】
【発明が解決しようとする課題】
【０００３】
現在、従来のバッテリ（例えば、一端に正極、他端に負極を持つ、ＡＡサイズの１．５ボルトＡＡアルカリ円筒型バッテリ）、又はＮｉＣｄ、ＮｉＭＨ若しくはＬｉイオン携帯電話バッテリのような特定の装置用に設計されたバッテリは、携帯型電子装置用の電源として利用されている。ここでバッテリなる語は、いずれの携帯型電源をも指すものとして定義される。バッテリは通常、携帯型電子装置内のハウジングに含まれる。このことはしばしば、携帯型装置の重量をかなり増大させる。加えて、特に携帯型電子装置が着用可能な衣服に組み込まれている場合、バッテリを交換することは面倒になり得る。更にしばしば、異なる装置は異なる形状のバッテリを必要とする（例えば、携帯電話機は特定のブランド及び型番の電話機用の形状をした６ボルトのＮｉＭＨバッテリを必要とし、ＭＰ３プレイヤは標準的なＡＡ型の１．５ボルト円筒型バッテリを採用する）。これら携帯型装置の必要な電力要件を鑑みると、ユーザにとっては、移動中に交換用の電源を常に持ち運ぶこと又は再充電のために止まることは困難である。更に、衣服の頻繁な洗濯のために、先行技術のバッテリを装着すること又は取り外すことは面倒である。かくして、現在のバッテリは、ファッション／衣服業界より要求される必須の設計、機能及びユーザインタフェースを欠いている。
【課題を解決するための手段】
【０００４】
本発明は、少なくとも、バッテリが燃料電池と、正の端子と、負の端子と、ハウジングと、機械抵抗発生器と、少なくとも１つの電気コネクタを受容するための少なくとも１つの開口と、前記ハウジングに結合された可動部を含み、前記機械抵抗発生器は、前記少なくとも１つの電気コネクタを、前記正の端子及び前記負の端子に押し付け、回路を形成する一態様において、少なくともこれら課題を解決する。
【０００５】
一実施例においては、前記機械抵抗発生器は、ばね、弾性材料、含気装置、ねじ又はくさびであっても良い。他の実施例においては、前記可動部は、ピストン、車輪、ボタン又はねじであっても良い。
【０００６】
一実施例においては、前記バッテリは、第１の電気コネクタを受容するための第１の開口と、第２の電気コネクタを受容するための第２の開口とを含み、前記第１の開口は前記正の端子を含み、前記第２の開口は前記負の端子を含む。
【０００７】
他の実施例においては、前記機械抵抗発生器は、第１の可動部を前記第１の開口における導電体に押し付け前記正の端子との電気的な接続を形成し、第２の可動部を前記第２の開口における第２の導電体に押し付け前記負の端子との電気的な接続を形成し、回路を形成する。
【０００８】
一実施例においては、前記少なくとも１つの導電体は更に、導電性のコードである。
【０００９】
他の実施例においては、前記機械抵抗発生器は、前記可動部を前記導電性のコードに押し付けることにより、重力に打ち勝つために十分な摩擦力を提供し、それにより前記導電性のコードが前記バッテリの重量を支持する。
【００１０】
他の実施例においては、前記可動部は、前記導電性のコードに沿った前記バッテリの位置が変更され得るように移動されることができる。
【００１１】
一実施例においては、前記導電性のコードは、絶縁された導電性の繊維のコードである。他の実施例においては、前記少なくとも１つの電気コネクタは、電気装置に電気的に接続される。
【００１２】
一実施例においては、前記少なくとも１つの電気コネクタは、少なくとも２つの回路を形成するため、前記機械抵抗発生器により前記正の端子及び前記負の端子に対して個別に押し付けられることができる少なくとも２つの部分を含む。
【００１３】
一実施例においては、前記電気装置と前記バッテリとの間の電気的な接続部は、着用可能な装置を通過する。
【００１４】
一実施例においては、前記少なくとも１つの開口は前記正の端子及び前記負の端子の両方を含み、前記少なくとも１つの電気コネクタの第１の部分は前記正の端子と接触し、前記少なくとも１つの電気コネクタの第２の部分は前記負の端子と接触し、前記可動部は、前記少なくとも１つの電気コネクタの前記第１の部分を前記正の端子に押し付け、前記少なくとも１つの電気コネクタの前記第２の部分を前記負の端子に押し付け、回路を形成する。
【００１５】
本発明の更なる態様は、燃料電池室と、正の端子用の部位と、負の端子用の部位と、機械抵抗発生器用の空間と、少なくとも１つの電気コネクタを受容するための少なくとも１つの開口と、前記開口に結合される可動部を受容するための空間と、を含むバッテリのハウジングであって、前記機械抵抗発生器は、前記少なくとも１つの電気コネクタを、前記正の端子及び前記負の端子に押し付け回路を形成し、前記正極及び負極が前記少なくとも１つの開口内に配置されるバッテリのハウジングである。
【００１６】
本発明の他の態様においては、着用可能な衣服が電子装置用の接続部と、少なくとも１つの導電性コネクタと、前記電子装置用の接続部に電力を供給するために前記導電性コネクタに結合されることが可能なバッテリと、を含む。前記バッテリは、燃料電池と、正の端子と、負の端子と、機械抵抗発生器と、少なくとも１つの導電性コードコネクタを受容するための少なくとも１つの開口と、前記開口に結合された可動部と、を含み、前記機械抵抗発生器は、前記少なくとも１つの導電性コネクタを、前記正の端子及び前記負の端子に押し付け、回路を形成する。
【００１７】
一実施例においては、前記バッテリは、前記少なくとも１つの導電性コードに沿った前記バッテリの位置が変更され得るように移動されることができる。
【００１８】
他の実施例においては、前記導電性コネクタは、絶縁された導電性の繊維のコード又は導電性のウェビングである。他の実施例においては、前記少なくとも１つの電子装置用の接続部は、電気装置に電気的に接続される。
【００１９】
他の実施例においては、前記少なくとも１つの電気コードコネクタは、少なくとも２つの回路を形成するため、前記機械抵抗発生器により前記正の端子及び前記負の端子に対して個別に押し付けられることができる少なくとも２つの部分を含む。
【００２０】
一実施例においては、前記電気装置と前記バッテリとの間の電気的な接続部は、前記着用可能な衣服内の繊維の相互接続部を通過する。
【００２１】
一実施例においては、前記少なくとも１つの導電性コネクタ及び前記バッテリは、前記着用可能な衣服の開口部の直径を減少させるための機構である。
【００２２】
他の実施例においては、前記バッテリは、前記着用可能な衣服から取り外されることができる。
【００２３】
本発明の一態様においては、電子装置に電力を供給するための方法は、幾つかのステップを含む。１つのステップは、少なくとも１つの導電性コネクタを備えるステップである。更なるステップは、バッテリに接続されたときに前記装置に電力を供給するための、前記導電性コネクタにおける少なくとも１つの位置を備えるステップである。更なるステップは、前記バッテリを前記少なくとも１つの導電性コネクタにおける前記少なくとも１つの位置に電気的及び機械的に接続し、前記電子装置に電力を供給するステップである。前記バッテリは、燃料電池と、正の端子と、負の端子と、ハウジングと、機械抵抗発生器と、少なくとも１つの電気コネクタを受容するための少なくとも１つの開口と、前記開口に結合された可動部と、を含み、前記機械抵抗発生器は、前記少なくとも１つの電気コードコネクタを、前記正の端子及び前記負の端子に押し付け回路を形成し、前記正の端子及び前記負の端子は、前記少なくとも１つの開口内に配置される。
【００２４】
本発明は、詳細な説明、図面及び請求項から明らかである多くの更なる利点を提供する。
【発明を実施するための最良の形態】
【００２５】
図１は、電気コネクタ４及び５を受容するための２つの開口２及び３を持つバッテリ１を示す。電気コネクタ４及び５は、絶縁された導電性繊維コード、絶縁されていない導電性繊維コード、導電性ウェビング（webbing）又は他のいずれかの着用可能な電子的用途に適した既知の材質からできたものであっても良い。
【００２６】
バッテリ１はまた、例えばピストンである、２つの可動部６及び７を持つ。可動部６及び７は、矢印８及び９に沿って押し下げられることができる。押し下げられたとき、可動部７及び６の穴（図示されていない）が、それぞれ開口３及び２と整合する。このことは、電気コネクタ４及び５に沿ったバッテリ１の位置が変更されることを可能とする。電気コネクタ４及び５は、例えば絶縁された導電性繊維コード又は導電性ウェビングから形成されても良い。加えて、電気コネクタ４及び５は、それぞれ負の接点及び正の接点に対応する、セグメント１０及び１１を含む。可動部６及び７は、それぞれ負の端子及び正の端子を含む。セグメント１０及び１１がそれぞれ開口２及び３と整合するようにバッテリ１が配置されたときに、回路が形成され、電流がバッテリ１から電気コネクタ４及び５を通って流れ、携帯型装置に電力を供給する。
【００２７】
図２は、線Ａと平行な平面による図１におけるバッテリの断面図を示す。電気コネクタ４及び５は、可動部６及び７における穴２６及び２７を通過する。例えばバネのような機械抵抗発生器２３は、可動部６及び７に対し力学的な力を加え、穴２６及び２７のそれぞれにおける端が、電気コネクタ４及び５を押し付けるようにする。該力学的な力はまた、穴２６及び２７の端と電気コネクタ４及び５との間に十分な摩擦力を与え、それによりバッテリ１は重力に打ち勝ち電気コネクタ４及び５が少なくともバッテリ１の重量を支持することができる。
【００２８】
加えて、穴２６における端は、負の端子２５を含むか又は該端子を支持する。穴２７における端は、正の端子２４を含むか又は該端子を支持する。可動部７及び６に圧力が加えられた場合、機械抵抗発生器２３が収縮する。このことは、正の端子２４と電気コネクタ５との間の電気的な接触を切断する。またこのことは、負の端子２５と電気コネクタ４との間の電気的な接触を切断する。更に、機械抵抗発生器２３の収縮は、電気コネクタ４及び５を押し付ける穴２６及び２７の端により引き起こされる摩擦力に打ち勝ち、電気コネクタ４及び５の長さに沿ってバッテリ１が位置を変更することを可能とする。加えて、バッテリ１は、電気コネクタ４及び５から完全に取り外され、充電台（図示されていない）に配置されることができる。
【００２９】
燃料電池室２１は、ＮｉＣｄ又はＺｎＨｇの電気化学的電池のような電源を含む。可動部６及び７並びに機械抵抗発生器２３を電源により引き起こされる劣化から保護するため、それぞれはバッテリのハウジング２０内で区切られても良い。加えて、内容物を劣化から保護するためにそれぞれがコーティングされても良い。
【００３０】
図３は、バッテリが配置されることができる複数の回路位置３０、３１及び３２を持つ、電気コネクタ４及び５の対を示す。回路部分３０、３１及び３２は、単一の装置の異なる装置又は機能に対応しても良く、それにより、例えば回路位置３０にバッテリ１が配置されたときには該バッテリが携帯電話に電力供給し、回路位置３１に配置されたときには該バッテリが携帯型ＭＰ３プレイヤに電力供給する等しても良い。電気コネクタ４及び５は、回路部分３０、３１及び３２の全体が絶縁されておらず、表面に幾つかの導電性の小さな領域を持つ。
【００３１】
図４は、１つの電気コネクタ４０を受容する単一の開口４２を持つバッテリ４３を示す。バッテリ４３は、例えばねじのような単一の可動部４１を含む。電気コネクタ４０はまた、トラック４４を含む。トラック４４の内側の部分には、正の端子がある。トラック４４の外側の部分は、負の端子を含むか又は負の端子を支持する。導電性のセグメントが開口４２と整合するようにバッテリ４３が配置された場合、回路が形成され、電流がバッテリ４３から電気コネクタ４０を通って流れ、携帯型装置に電力供給する。可動部４１は、機械抵抗発生器をアクティブにし、電気コネクタ４０の正の第１の部分５０を正の端子に対して押し付け、また電気コネクタ４０の第２の部分５１を負の端子に対して押し付け、回路を形成する。正の第１の部分５０及び負の第２の部分５１は、絶縁体５２によって支持されるものとして図５に示される。加えて、可動部４１は弛められることができ、それにより電気コネクタ４０に沿ったバッテリ４３の位置を変更することを可能とする。
【００３２】
図６は、線Ｃに平行な平面による図４におけるバッテリ４３の断面図である。電気コネクタ４０は、バッテリのハウジング６２における穴４２を通過する。整合機構６３は、正の第１の部分５０及び負の第２の部分５１が、正の端子６４及び負の端子６５と接触するように電気コネクタ４０を整合させる。正の端子６４は、整合機構６３内に含められるか、又は整合機構６３により支持される。負の端子６５は、バッテリのハウジング６２内に含まれるか、又はバッテリのハウジング６２により支持される。例えばねじのような機械抵抗発生器６６が、可動部４１により操作され、整合機構６３に力学的な力を加え、又は整合機構６３から力学的な力を除去する。該力学的な力は、整合機構６３、電気コネクタ４０及び負の端子６５の間に十分な摩擦力を与え、それによりバッテリ４３が重力に打ち勝ち、電気コネクタ４０が少なくともバッテリ４３の重量を支持することができる。
【００３３】
加えて、機械抵抗発生器６６により整合機構６３に力が加えられると、電気コネクタ４０の正の端子６４と正の第１の部分５０との間、及び電気コネクタ４０の負の端子６５と負の第２の部分５１との間の電気的な接触を形成する。機械抵抗発生器６６により生成される力の減少は、電気コネクタ４０の正の端子６４と正の第１の部分５０との間、及び電気コネクタ４０の負の端子６５と負の第２の部分５１との間の電気的な接触を切断し得る。更に、機械抵抗発生器６６により生成される力の減少は、電気コネクタ４０の長さに沿ってバッテリ４３が位置を変更することを可能とする。加えて、バッテリ４３は、電気コネクタ４０から完全に取り外され、充電台（図示されていない）に配置されることができる。
【００３４】
燃料電池室６７は、ＮｉＣｄ又はＺｎＨｇの電気化学的電池のような電源を含む。可動部４１、機械抵抗発生器６６、整合機構６３及び電気コネクタ４０を、電源により引き起こされる劣化から保護するため、それぞれはバッテリのハウジング６８内で区切られても良い。加えて、内容物を劣化から保護するためにそれぞれがコーティングされても良い。
【００３５】
図７Ａ乃至７Ｃは、線Ａによって横切られる面による、種々の機械抵抗発生器２３を含む図１のバッテリ１の断面図を示す。図７Ａにおいては、機械抵抗発生器７０は、可動部６及び７に対して弾性力を加える弾性材料から形成される。図７Ｂにおいては、機械抵抗発生器は、ピストン７３を押して可動部６及び７に対する力を生成するために室７２内に含まれる気体を利用する、含気性装置７１である。図７Ｃにおいては、機械抵抗発生器７０は、ねじ７４から形成される。該ねじ７４は、回転させられたときに、コイル７５に対して力を加え、該コイル７５がねじ７４とブロック７６との間で押し付けられると伸張し、可動部６及び７に対して力を加える。
【００３６】
図８は、線Ａに垂直な面による、図１のバッテリ１の断面図を示す。バッテリ１は、バッテリのハウジング２０を越えて延在するくさび型機械抵抗発生器８０を含む。くさび型機械抵抗発生器８０は、可動部６及び７に対して別々に力を加えるように押し付けられることが可能である。可動部６及び７に対する該力は、穴２６及び２７のそれぞれにおける端に、電気コネクタ４及び５を押し付けるようにする。該力学的な力はまた、穴２６及び２７の端と電気コネクタ４及び５との間に十分な摩擦力を与え、それによりバッテリ１は重力に打ち勝ち、電気コネクタ４及び５が少なくともバッテリ１の重量を支持することができる。くさび型機械抵抗発生器８０を引き上げることは前記力を減少させ得、それにより回路を切断し、バッテリ１を電気コネクタ４及び５に沿って移動させ、又は電気コネクタ４及び５からバッテリを取り外し得る。
【００３７】
図９Ａは、２つの電気コネクタ４及び５、並びにバッテリとの間に電気的な接触を形成し電気コネクタ４及び５におけるバッテリ１の位置を変更するための２つの車輪９０及び９１を利用する、２つの開口２及び３を持つバッテリ１の上面図を示す。図９Ｂは、線Ｄに平行な平面による、図９Ａのバッテリ１の断面図を示す。車輪９１は、例えばばねのような機械抵抗発生器に装着されることができる軸９２により、バッテリのハウジング２０に装着される。車輪９１は、いずれの方向にも回転させられることができる。機械抵抗発生器（図示されていない）は、車輪９１の回転を可能にするための十分な力を提供し、電気コネクタ５に沿ってバッテリ１に位置を変更させる。この場合、時計回りに車輪９１を回転させることは、バッテリ１が電気コネクタ５に沿って下降することを引き起こす。時計とは逆方向に車輪９１を回転させることは、バッテリ１が電気コネクタ５に沿って上昇することを引き起こす。加えて、前記機械抵抗発生器は、車輪９１に、端子９３に対して電気コネクタ５を押し付けさせる。バッテリ１が電気コネクタ５の導電性のセグメント１１へと上昇又は下降する場合、前記機械抵抗発生器からの電気コネクタ５に対する力が、導電性セグメント１１を端子９３に接触させ、少なくとも回路の一部を形成させる。加えて、該力学的な力はまた、車輪９１、電気コネクタ５及び端子９３の間に十分な摩擦力を与え、それによりバッテリ１は重力に打ち勝ち、電気コネクタ５が少なくともバッテリ１の重量の一部を支持することができる。車輪９１はまた、バッテリ１が移動しないことが望ましい場合には、或る位置にロックされるように設計されても良い。
【００３８】
燃料電池室９４は、ＮｉＣｄ又はＺｎＨｇの電気化学的電池のような電源を含む。車輪９１及び該車輪９１の機械抵抗発生器を電源により引き起こされる劣化から保護するため、それぞれはバッテリのハウジング２０内で区切られても良い。加えて、内容物を劣化から保護するためにそれぞれがコーティングされても良い。
【００３９】
図１０は、バッテリ１、電気コネクタ４及び５、並びに電子装置用の少なくとも１つの接続部１１１及び１１５を含む、着用可能な衣服１１０を示す。電気コネクタ４及び５は共にバッテリ１を支持するが、衣服１１０の襟１１６の開口幅を制御するためにも利用される。４及び５のような電気コネクタは、衣服１１０のような衣服のいずれの開口のいずれの幅を制御するために利用されても良い。衣服１１０はまた、電気コネクタ４及び５を、それぞれ電子装置用の接続部１１１及び１１５に接続する、繊維の相互接続部１１２及び１１３を含む。繊維は、既知の任意の繊維の相互接続を相互接続する。
【００４０】
電気コネクタは、図３及び関連する説明において示されたように、複数の回路部分を持ち得る。図１０においては、異なる回路部分は、電子装置用の異なる接続部１１１及び１１５に対応し、これによりバッテリ１が例えば第１の回路部分に配置されたときには該バッテリが接続部１１１に電源供給し、第２の回路部分に配置されたときには接続部１１５に電源供給しても良い。
【００４１】
可動部を押し下げ、バッテリ１をスライドさせ電気コネクタ４及び５から外すことにより、バッテリ１は衣服１１０から取り外されることができる。加えて、バッテリ１は、いずれのタイプの電気装置に電力供給するために利用されても良い。
【００４２】
以上の表現及び例は例示的なものであって、以下の請求の範囲を限定することを意図するものではない。
【図面の簡単な説明】
【００４３】
【図１】２つの電気コネクタを利用する２つの開口を持つバッテリの例を示す。
【図２】線Ａによって横切られる面による、図１におけるバッテリの断面図を示す。
【図３】バッテリが配置されることができる複数の回路位置を持つ電気コネクタの対を示す。
【図４】１つの電気コネクタを利用する単一の開口を持つバッテリの例を示す。
【図５】線Ｂによって横切られる面による、図４における電気コネクタの断面図を示す。
【図６】線Ｃによって横切られる面による、図４におけるバッテリの断面図を示す。
【図７（Ａ）】線Ａによって横切られる面による、弾性材機械抵抗発生器を含む図１のバッテリの断面図を示す。
【図７（Ｂ）】線Ａによって横切られる面による、含気性機械抵抗発生器を含む図１のバッテリの断面図を示す。
【図７（Ｃ）】線Ａによって横切られる面による、ねじ型機械抵抗発生器を含む図１のバッテリの断面図を示す。
【図８】線Ａに垂直な面による、くさび型機械抵抗発生器を含む図１のバッテリの断面図を示す。
【図９（Ａ）】２つの電気コネクタ、及び電気コネクタ上のバッテリの位置を移動させるための２つの車輪を利用する、２つの開口を持つバッテリの上面図を示す。
【図９（Ｂ）】線Ｄの面における、図９（Ａ）のバッテリの断面図を示す。
【図１０】バッテリ、電気コネクタ、及び携帯型電子装置用の接続部を含む着用可能な衣服を示す。
【図１】
2008515145.tif 000003
【図２】
2008515145.tif 000004
【図３】
2008515145.tif 000005
【図４】
2008515145.tif 000006
【図５】
2008515145.tif 000007
【図６】
2008515145.tif 000008
【図７Ａ】
2008515145.tif 000009
【図７Ｂ】
2008515145.tif 000010
【図７Ｃ】
2008515145.tif 000011
【図８】
2008515145.tif 000012
【図９Ａ】
2008515145.tif 000013
【図９Ｂ】
2008515145.tif 000014
【図１０】
2008515145.tif 000015
【国際調査報告】
2008515145.tif 000016
2008515145.tif 000017